(57)【要約】　　　（修正有）【課題】ドラムの安全で便利な搬送、ドラムの内容物の安全で正確な除去を可能とし、トランスポーターへの取付、取り外し時内容物を曝す可能性を除く。【解決手段】直立ポストアセンブリ２２は、外側マストアセンブリ１８で主フレーム１２から上方へ延出し、固定ガイドポスト２４を含む。上部クランプ機構３０Ｂは、ドラム３４のふちと係合するために固定ポスト２４に移動可能に取付ける。リフト機構５６は、上部クランプ機構３０Ａと安定化機構４６の垂直方向移動を制御して、ドラム３４がトランスポーター１０Ｂによって係合して搬送が可能となる。重量測定デバイスは、固定ポスト２４に移動可能に取付ける。ポンプ９６、浸漬チューブ９２、放出ライン９４を備えるポンプ機構は、取外し可能、或いは移動可能に取付ける。主フレーム１２は、ドラム３４のハンドリング中にトランスポーター１０Ｂの傾きを最小とする為のカウンターバランス手段を備える。【選択図】図１
2004142734.tif 000002
【特許請求の範囲】
【請求項１】
　自立型可搬ドラム配置システムであって、
　ａ) 主フレームを備え、この主フレームは、荷積み端とこの荷積み端から離れた操作端を備え、１セットのホイールが、１つの位置から他の位置に前記主フレームの移動を容易にするために前記主フレームの下に取付けられ、
　ｂ）前記荷積み端に前記主フレームから略水平方向に延出する外側マストアセンブリを備え、この外側マストアセンブリは、荷積み端に一対の脚部を備え、前記脚部の各々は、長手中心線を有し、前記長手中心線の延長線は、略ポストアセンブリで交差して、前記脚部同士間の略Ｖ字の空間が荷積み端に形成されるような前記脚部同士間に角度を形成し、前記角度は、前記脚部がドラムの近くに前記主フレームを配することを可能とするに十分であるようにされ、
　ｃ）前記外側マストアセンブリで前記主フレームから上方へ延出する直立ポストアセンブリを備え、前記ポストアセンブリは、
　ｉ）固定ガイドポストを備え、
　ｉｉ）ドラムのふちと解放可能に係合するための上部クランプ機構を備え、この上部クランプ機構は、固定ガイドポストに移動可能に取付けられると共に前記固定ガイドポストに関して上下に選択的に垂直方向移動するように脚部同士間の空間に配置され、
前記システムは、
　ｄ）ポンプと、前記ポンプの入口端に取付けられた浸漬チューブと、前記ポンプの出口側に取付けられる放出ラインとを備え、前記クランプ機構に取外し可能に取付けられるか、前記ドラムに取外し可能に取付けられるか、前記固定ポストに移動可能に取付けられるか、或いは前記主フレームに取付けられるポンプ機構を備え、
　ｅ）前記上部クランプ機構の垂直方向移動を選択的に制御してドラムが前記システムに係合されて次に１つの位置から他の位置に搬送されることを可能とするリフト機構を備える、自立型可搬ドラム配置システム。
【請求項２】
　前記主フレームは、ウエイトを含むカウンターバランス手段を更に備える、請求項１のシステム。
【請求項３】
　前記ポストアセンブリは、前記上部クランプ機構の下方でそれから離間された位置でドラムに接触するための安定化機構を更に備え、前記安定化機構は、固定ガイドポストに移動可能に取付けられると共に前記固定ガイドポストに関して上下に選択的垂直方向移動のために脚部同士間の空間に配置され、前記空間は、前記上部クランプ機構と前記安定化機構の外側に構造物がない、請求項２に記載のシステム。
【請求項４】
　前記固定ポストに移動可能に取付けられた重量測定デバイスを更に備える、請求項１に記載のシステム。
【請求項５】
　前記ポンプ機構は、前記浸漬チューブ、放出ライン又はそれらの両方に組み込まれた１つ又はそれより多くのバルブを更に備える、請求項１に記載のシステム。
【請求項６】
　前記ポンプ機構は、前記浸漬チューブに組み込まれた１つ又はそれより多くのＴ字管を更に備える、請求項１に記載のシステム。
【請求項７】
　前記ポストアセンブリは、前記固定ガイドポストに移動可能に取付けられる外側スリーブアセンブリを含み、前記クランプ機構と前記安定化機構は、前記スリーブアセンブリに取付けられる、請求項３に記載のシステム。
【請求項８】
　前記リフト機構は、外側筒状部材とこの外側筒状部材に伸縮自在に取付けられる内側部材を備え、前記スリーブ部材は、前記部材の内の一方に取付けられる、請求項１に記載のシステム。
【請求項９】
　前記重量測定デバイス又は前記重量読み出しデバイスは、マイクロプロセッサ、コンピュータ、或いはその他のデバイスを更に備える、請求項１に記載のシステム。
【発明の詳細な説明】
【背景技術】
【０００１】
　１つの位置から他の位置へドラムを搬送するための種々のデバイスがある。ドラムは、時としてパレット上に保管されたり或いは床や他の表面上に保管されることがある。既知の形態のデバイスは、概して、ドラムのふちと係合するクランプ機構を含み、且つドラムが上げられる時にドラムを安定化するためにクランプ機構の下方でドラムと接触するための構成要素を含む。市販されているドラムハンドリング装置の例は、Ｌｉｆｔｏｍａｔｉｃ　Ｍａｔｅｒｉａｌ　Ｈａｎｄｌｉｎｇ，Ｉｎｃ．のＤＣＭＪモデルとＤＣＭモデル、及び株式会社大阪タイユーのロッボタードラムキャリアを含む。ＤＣＭＪモデルとＤＣＭモデルは、フォークリフトのアタッチメントである。ロボッタードラムキャリアは、自立ユニットであるが、パレットを跨ぐことが出来ないように互いに対して特定の寸法に切断されると共に離間された脚部を含むように構成される。米国特許第５，６１８，１５４号は、任意のサイズのドラムをパレット、スケール（秤）又は閉じ込めパレットの上に又はそれから移動してプラントの周りでそれらを移動するために特に有用であるドラムトランスポーターを記述している。
【０００２】
　これらのタイプのドラムトランスポーターの各々は、それが設計されたタスクを成就する。即ち、タスクは、１つの位置から他の位置へ、典型的には、格納位置からドラムの内容物が除去される位置へのドラムの移動である。しかしながら、これらのドラムトランスポータが解決しない１つの問題は、繰り返しドラムをドラムトランスポーターに取付けたり取り外したりすることなく、特に、１つの位置から他の位置へドラムを移動させたい時に、ドラムの内容物を正確に、測定可能に且つ安全に除去するための迅速で単純な機構である。標準的なプラクティスは、ドラムをスケール上に配置して、重量の変化を測定しながらドラムの内容物をポンプで取り出す、或いは計量ポンプを利用して取り出された量を測定する、或いはドラムの内容物を較正された測定容器にポンプで取り出すことである。これらの手順の各々は、ドラムを移動するよりも多くドラムを操作することが必要であり、結果としてオペレータにドラムの内容物を曝すことになる。これは、ドラムの内容物が危険な物質の場合に、特に問題である。
【０００３】
【特許文献１】米国特許第５，６１８，１５４号明細書
【発明の開示】
【発明が解決しようとする課題】
【０００４】
　本願発明者らは、米国特許第５，６１８，１５４号のドラムトランスポーターの改良を発見した。この改良は、ドラムの安全で便利な搬送と、ドラムの内容物の安全で、正確で且つ測定可能な除去を可能とすると共に同時にドラムがドラムトランスポーターへの取り付けられる又はそれからの取り外される時又はドラムの内容物が他の容器や処理装置に放出される時に生じる、オペレーターを内容物に曝す可能性の多くを取り除く。本発明の可搬ドラム配置システムは、ホイールの上に取付けられた主フレームを備えるドラムトランスポーターを含む。外側マストアセンブリは、この主フレームから略水平方向に延出し、且つ一対の脚部を含み、これらの脚部は、ドラムを跨ることが出来る角度に配置される。直立のポストアセンブリは、外側マストアセンブリで主フレームから上方に延出する。ポストアセンブリは、固定ガイドポストを含む。上部クランプ機構は、ドラムのふちと係合するために固定ポストに移動可能に取付けられている。好ましくは、安定化機構は、このクランプ機構の下方の位置でドラムに接触するためにクランプ機構の下方で固定ポストに移動可能に取付けられる。リフト機構は、上部クランプ機構と若しあるなら安定化機構の垂直方向の移動を制御してドラムをトランスポーターに係合させて持ち上げて一つの位置から他の位置に搬送される。重量測定デバイスは、固定ポストに移動可能に取付けられてドラムの重さを正確に決定することが出来る。ポンプと、このポンプの入口側に取付けられる浸漬チューブと、ポンプの出口側に取り付けられる放出ラインと、を備えるポンプ機構は、クランプ機構やドラムに取付けられ、或いは移動可能に固定ポストに取付けられるか主フレームに取付けられる。任意ではあるが、主フレームは、ドラムのハンドリング中にトランスポーターが傾く傾向を最小にするためにカウンターバランス手段を備える。
【０００５】
　主フレームは、カバープレートの選択的な取外しによって露出されることが出来るコンパートメントを含むことが出来、それによってウエイトがコンパートメント内に取付けられてカウンターバランス機能を確かなものとする。外側スリーブアセンブリは、クランプ機構、安定化機構、重量機構を有する固定ガイドポストに移動可能に取付けられ、及び任意ではあるが、ポンプがこの外側スリーブアセンブリに取付けられる。また、リフト機構は、外側スリーブアセンブリに取付けられ、それによって、リフト機構の起動によって外側スリーブが上下に移動される。ポンプ自体は、ポンプの動作と重量測定デバイスの動作と干渉しない限り、本発明のシステムの任意の便利なポイントに固定的に或いは移動可能に取付けられることが出来る。
【課題を解決するための手段】
【０００６】
　従って、本発明は、自立型可搬ドラム配置システムであって、
　ａ）主フレームを備え、この主フレームは、荷積み端とこの荷積み端から離れた操作端を備え、１セットのホイールは、１つの位置から他の位置に主フレームの移動を容易にするために主フレームの下に取付けられ、主フレームは、任意ではあるが、ドラムのハンドリングの間にトランスポーターが傾く傾向を最小にするためにウエイトを含むカウンターバランス手段を備え、
　ｂ）前記荷積み端に前記主フレームから略水平方向に延出する外側マストアセンブリを備え、この外側マストアセンブリは、荷積み端に一対の脚部を備え、前記脚部の各々は、長手中心線を有し、前記長手中心線の延長線は、略ポストアセンブリで交差して、前記脚部同士間の略Ｖ字の空間が荷積み端に形成されるような前記脚部同士間に角度を形成し、前記角度は、前記脚部がドラムの近くに前記主フレームを配することを可能にするのに十分であるようにされ、
　ｃ）前記外側マストアセンブリで前記主フレームから上方へ延出する直立ポストアセンブリを備え、前記ポストアセンブリは、
　ｉ）固定ガイドポストを備え、
　ｉｉ）ドラムのふちと解放可能に係合するための上部クランプ機構を備え、この上部クランプ機構は、固定ガイドポストに移動可能に取付けられると共に前記固定ガイドポストに関して上下に選択的に垂直方向移動するように脚部同士間の空間に配置され、
　ｉｉｉ）任意ではあるが、上部クランプ機構の下でそれから離間する位置でドラムと接触するための安定化機構を備え、この安定化機構は、固定ガイドポストに移動可能に取付けられていると共に固定ガイドポストに関して上下に選択的垂直方向移動するために脚部同士間の空間内に配置され、この空間は、上部クランプ機構と安定化機構の外側に構造物がなく、
　前記システムは、
　ｄ）任意ではあるが、ドラム内容物の重さの変化が決定出来るように固定ポストに移動可能に取付けられた重量測定デバイスを備え、
　ｅ）ポンプと、前記ポンプの入口端に取付けられた浸漬チューブと、前記クランプ機構に取外し可能に取付けられるか、前記ドラムに取外し可能に取付けられるか、前記固定ポストに移動可能に取付けられるか、或いは前記主フレームに取付けられる、前記ポンプの出口側に取付けられる放出ラインとを備えるポンプ機構を備え、
　ｆ）前記上部クランプ機構と任意の安定化機構の垂直方向移動を選択的に制御してパレット上のドラムが前記システムに係合されて次に１つの位置から他の位置に搬送されることを可能とするリフト機構を備える、自立型可搬ドラム配置システムを提供する。
【発明を実施するための最良の形態】
【０００７】
　図１から図３は、本発明の一実施の形態に従う可搬ドラム配置システム１０を示す。ここに図示のシステム１０は、組となるホイール１４と１６の上に取付けられた主フレーム１２を備える。リアホイール１６は、システム１０の操作を容易にするために主フレームの下に旋回するように取付けられている。ホイール１６は、主フレーム１２から水平方向外方へ延出する外側マストアセンブリ１８に対してその下方に取付けられている。前方ホイール１６は、旋回可能に取り付けらても良いが、固定又は非旋回可能に取付けられるのが好ましい。ホイール１６は、容易に転がるように精密シールボールベアリングを有する５インチのクリプトン耐薬品性ホイールであることが好ましい。
【０００８】
　図２に示されるように、外側マストアセンブリ１８は、一対の広がった脚部２０を含み、これらの脚部は、それらがパレットのコーナーを跨ぐに便利なように互いに対して９０°の角度で配置されている。従って、間隔は、互いに関して少なくとも９０°であるべきである。この角度が９０°未満に減少すると、パレットを跨ぐのが一層困難となる。しかしながら、角度が９０°を越えると、より多くの空間が脚部を収容するために必要となる。
【０００９】
　また、システム１０は、固定ガイドポスト２４を含む直立ポストアセンブリ２２を含む。スリーブアセンブリが固定ポスト２４の回りに取付けられる。スリーブアセンブリは、二つのＣ形状部材２６と２６として或いは固定ガイドポスト２４を囲むシリンダとして形成される。図１に示されるように、各スリーブ２６は、上部クランプ機構３０が取外し可能に固定される延長部材２８を含む。上部クランプ機構３０は、ドラム３４のふち３２と係合出来る適切な構造のものである。本発明は、例えば、Ｌｉｆｔｏｍａｔｉｃ　Ｍａｔｅｒｉａｌ　Ｈａｎｄｌｉｎｇ，Ｉｎｃ．によって或いはＭｏｒｓｅ　Ｍａｎｕｆａｃｔｕｒｉｎｇ　Ｃｏ．よって、或いはＫｒｉｅｇｌｅｒ　Ｍａｎｕｆａｃｔｕｒｉｎｇ　Ｃｏ．によって製造される「パロット−ビーク」（Ｐａｒｒｏｔ−Ｂｅａｋ）タイプのクランプ機構によって実施されることが出来る。このクランプ機構３０は、ボディ構造体４０に取付けられた下部ジョー３６と上部ジョー３８を含む。延長部材２８と２８には、クランプ機構３０の取り付け位置の垂直方向調節を可能とするために、組となる位置合わせ孔４２が設けられる。このように、図１と図２に示されるように、リテーナピン４４は、一組の孔４２を貫通すると共にクランプ機構３０を貫通して延出し、クランプ機構３０をスリーブ２６に取付ける。取り付け位置の変更が望まれる場合、リテーナピン４４が除かれてクランプ機構３０が再位置決めされ、次に、適当な組の孔４２とクランプ機構３０の対応する孔にピン４４を再び挿入することによってスリーブ２６に再度取付けられる。
【００１０】
　図１に示されるように、システム１０は、クランプ機構ボディ構造体４０に組み込まれるオプションの重量機構９０を含む。重量読み出し機構９８がこの重量機構４０に動作可能に取付けられる。浸漬チューブ９２は、ポンプ９６からドラム３４の底部に延出する。放出ライン９４は、ポンプ９６から延出する。
【００１１】
　図３に示されるように、オプションの安定化機構４６が、スリーブ２６に取付けられる。安定化機構４６は、ドラム３４の環状リング５２の下に係合するために外端部に垂直方向に配されたピン５０を有する一対の水平方向アーム４８を含む。
【００１２】
　操作する場合、ユーザは、主フレーム１２の後端部のハンドル５４を把持し、トランスポーター１０を移動が意図されるバレルの方へ操作する。若しバレルがパレット上にある場合、図４及び図５におけるように、ユーザは、脚部２０と２０がパレットを跨ぐようにトランスポーター１０を操作する。トランスポーター１０を位置決めすると、ユーザは、ピン５０をリング５２の下に配置する。クランプ機構３０は、ふち３２と係合するのに適する位置にスリーブ２６に取付けられる。この係合は、ふち３２の下にジョー３６を配置し、次にドラムと係合する既知の方法で移動可能ジョー３８を起動することによって達成される。次に、ユーザは、スリーブ２６を上げるためにスリーブ２６に取付けられるリフト機構５６を起動して、それによってクランプ機構３０と安定化機構４６も上げる。ドラムがクランプ機構３０によってクランプされるので、ドラム３４が、上昇される。例えば、図１は、実線で、ドラムが最下位位置に位置している間の、ドラム３４とトランスポーター１０の初期の係合を示す。また、図１は、想像線で、ドラム３４が上昇される時の対応するコンポーネントを示す。
【００１３】
　本発明に従って、例えば、空気シリンダ、空気デバイス、油圧デバイス、電気的デバイス、機械的デバイス、これらのデバイスの二つ又はそれより多くの組合せのような、任意の適切なリフト機構が使用されることが出来る。一般に、リフト機構は、一対の伸縮自在部材を組み込み、これらの部材は、内側部材と外側筒状部材を互いに関して移動させ、この上下移動をスリーブアセンブリ２６に伝達してスリーブ２６の対応する垂直方向移動を行う手段を備える。希望されるならば、これらの部材は、伸縮自在に取付けられる必要はない。むしろ、これらの部材は、単純に互いに対してスライド可能に取付けられても良い。また、リフト機構は、ソーサージャックやその等価物の形態であってもよい。
【００１４】
　図１は、シリンダ６０から外に延出するピストン５８を有する油圧シリンダ６０の形態である部材を示している。ブラケット５９は、ピストン５８をスリーブ２６に接続する。Ｓｔａｒ　Ｈｙｄｒａｕｌｉｃ，Ｉｎｃ．から購入出来るＳｔａｒ　Ｈｙｄｒａｕｌｉｃ　Ｆｏｏｄ　Ｏｐｅｒａｔｅｄ　Ｌｉｆｔ　Ｍｏｄｅｌ　ＨＦ５００のような適切な油圧シリンダが使用されることが出来る。また、図示のリフト機構５６は、油圧流体を供給するようにポンプ作動されてシリンダ６０からピストン５８を上昇するフット操作レバー６２を含む。リターンスプリング６４が、レバー６２とシリンダ６０との間に取付けられている。図２乃び図３に示されているように、フット操作ペダル６６もまた、リリースバルブを起動して、ピストン５８が再びシリンダ６０内に降下されるように流体が戻されることが可能であるように設けられる。
【００１５】
　オプションの重量測定デバイス９０は、ドラム３４の内容物が除去されると、その重量の変化が正確に測定されるような位置と方法でシステム１０に設けられることが出来る。典型的には、重量測定デバイス９０は、クランプ機構又は延長部材２８又は例えばリフト機構の他の点に設けられる。ドラムの重量の変化及びその内容は、例えば、電気的に又は機械的に重量測定デバイス９０に動作可能に取付けられた読み出しデバイス９８に記録される。典型的な読み出しデバイスは、例えば、メーター、ゲージ、ＣＲＴスクリーン、デジタル又はアナログデバイス、及びプリンタを含む。このようなデバイスは、ドラムに残っている又はドラムから放出された物質の量の瞬時の或いは累積の読み出しを与えるように較正又は調節される。典型的な重量測定デバイスは、例えば、電気−機械的スケール、ロードセル、及び機械的スケールを含む。操作する場合、ユーザは、ドラムをシステムにクランプする前又はその後に、重量測定デバイスをゼロに設定する。ドラムの内容物が放出されると、重量の変化が正確に決定され、ドラムから放出された物質の量が計算される。任意ではあるが、重量測定デバイスや重量読み出し機構は、重量、即ち、放出されたドラム内容物の重量をドラム内容物の密度を考慮して放出された容量に変換するためにマイクロプロセッサ、計算機又は他のデバイスを組み込む。任意ではあるが、重量測定デバイスとポンプ機構は、所定量の物質がドラムからポンプ送出されるように相互接続されることが出来る。任意ではあるが、重荷測定デバイスとオプションのバルブは、バルブの自動動作を可能とするように相互接続されることが出来る。重量測定デバイス、ポンプ機構及びバルブは、全て相互接続されることが出来る。また、システム１０は、ドラム通気手段を含むことがある。このような手段は、浸漬チューブ９２、ポンプ機構９６又は放出ライン９４の一部であっても良いし、またそれらと相互接続されてもよいし、或いはシステムの別個のコンポーネントよりなってもよい。重量測定デバイスは、例えば、フローメーターのような容量測定デバイス、質量メーター、マグメーター、ロトメーターのような間接重量測定デバイスを備えることが出来、その場合、フロー積算計を含んでも含んでいなくてもよい。このような間接重量測定デバイスを利用することは、放出された物質の量に基づいて重量を決定することである。好ましくは、システム１０は、重量測定デバイス９０を含むことである。最も好ましくは、重量測定デバイスは、放出されたドラム内容物の量又はドラム内に残っているドラム内容物の量の直接読み出しを提供するように較正されることである。
【００１６】
　ポンプ機構は、例えば、ギヤポンプ、遠心ポンプ、ピストンポンプ、ベーンポンプ、ぜん動ポンプ、計量ポンプ、或いはダイアフラムポンプのようなポンプ９６を備え、浸漬チューブ９２がこのポンプに接続され、且つ放出チューブ９４がポンプに接続される。浸漬チューブと放出チューブは、互いに対して独立した剛性又はフレキシブルチューブ配管やパイプである。実際に、浸漬チューブがドラムの頂部の既存の開口を介して又はドラムの頂部を貫通することによってドラムの底部まで延出される。浸漬チューブは、ランスの形態でも良い。任意であるが、浸漬チューブは、例えば、Ｄｒｕｍｖｅｎｔ（商標）システム（Ｃｏｎｔａｉｎｅｒ　Ｔｅｃｈｎｏｌｏｇｙ）に利用される保護スリーブのような、オペレータから浸漬チューブを隔離するための外側スリーブやチューブ内に引き込み可能であることが出来る。外側スリーブは、浸漬チューブから残留ドラム内容物を洗浄するためのリンス手段を組み込むことが出来る。好ましくは、浸漬チューブは、完全に閉鎖されたシステムを提供するために汚染スリーブに組み込まれることである。放出チューブ９４は、ドラム内容物が他の容器に或いは処理装置にポンプ送給出来るように延出する。任意ではあるが、放出チューブは、図５に示されるように、一つ又はそれより多くのバルブ９９、Ｔ字管１００或いはそれらの両方を含むことが出来る。浸漬チューブは、任意に、ポンプ９６をバイパスしてドラムを充填したりその内側をリンスすることを可能とする１つ又はそれより多くのバルブとＴ字管を含むことが出来る。浸漬チューブと放出チューブは、夫々独立して、液体が滴り落ちない或いは乾燥ブレーク遮断器を含む１つ又はそれより多くのクイック遮断フィッティングを組み込むことが出来る。ポンプは、リフト機構の動作や放出したドラム内容物の重量の正確な決定に干渉しない限り、システム１０の何れの位置に取付けられてもよい。図４は、主フレームに取付けられたポンプ９６を示す。ポンプは、永久的にシステムに取付けられてもよいし、任意のポイントに移動可能に又は取外し可能に取付けられても良い。好ましくは、ポンプは、主フレームに取付けられる。
【００１７】
　システム１０の１つのオプションの特徴は、主フレーム１２がカウンターバランス手段として機能し且つドラムを上げている時とドラムを１つ位置から他の位置へ移動している時にトランスポーター１０が傾く傾向を最小にするために重荷重材料から作られる。必要な場合、主フレーム１２は、主フレームの脚部２０と２０とは反対側にウエイトの追加によってより重くされることが出来る。図３は、例えば、頂部プレート６８を含む主フレーム１２を描いており、この頂部プレート６８は、頂部プレート６８が取り外されて主フレーム１２の内部を露出することを可能とするためにファスナー７０によって取外し可能に固定されている。取外し可能ウエイトＷは、必要なカウンターバランス力に従って主フレームの全重量を調節するために内部に挿入されたり内部から取り出されたり出来る。主フレームが重くなればなるほど、傾く傾向がより少なくなる。他方、主フレームが重くなればなるほど、システムを押すことがより困難になる。従って、全重量を調節することのオプションによって、システム１０の移動性を向上すると共に傾くことを最小とするために必要な適切なバランスが可能とされる。システム１０のキャパシティは、脚部２０を長くしたり短くすることによって調節される。これは、図３に示されているように、伸縮自在部材の脚部２０を形成することによって達成される。このように、脚部２０の長さを調節することは、またカウンターバランスを提供するように機能する。
【００１８】
　図４は、他のリフトアセンブリ５６Ａを使用する変更トランスポーター１０Ａを示す。この図に示されるように、スプロケット７２は、ピストン５８Ａの露出上端に取付けられる。チェーン７４は、その一端がシリンダ６０Ａ上のブラケット７６に固定されてチェーン７４の他端は、重量測定デバイス９０に固定される。この重量測定デバイス９０は、スリーブ２６Ａに取付けられたブラケット７８に固定されてスリーブ２６Ａの上下移動を容易にしている。これは、ピストン５８の上端が接続ブラケット５９によって直接にスリーブ２６に固定されるシステム１０とは異なっている。また、図４は、ポンプ９６の主フレームへの他の好適な取付けを示している。また、図４は、上下動を容易とするためにスリーブ２６Ａ内にローラ８０を含むことを示している。更に、図４は、上部クランプ機構３０Ａを示している。
【００１９】
　図１は、フロアに直接に取付けられるべきドラム３４を示している。しかしながら、図４は、パレット８２の上に取付けられるべきドラム３４を示している。
【００２０】
　図５は、電子リフト機構５６Ｂを利用するトランスポーター１０Ｂを示している。この図に示されているように、スクリューアクチュエータが外側シリンダ６０Ｂ内に取付けられている。スクリューアクチュエータは、ＰＰＡリニアアクチュエータのような公知のタイプの物である。内部伸縮部材５８Ｂの移動の制御は、ハンドル５４上のスイッチ８４によって達成される。スイッチ８４は、バッテリーパック８８によって電気が供給されるモータ８６を起動する。延長部材５８Ｂは、ブラケット５９Ｂによってスリーブを上昇したり下降したりするためにスリーブ２６Ｂに取付けられている。
【００２１】
　また、図５は、スリーブ２６Ｂと延長部材２８との間の重量測定デバイス９０の他の取り付けを示している。
【００２２】
　更に、図５は、上部クランプ機構３０Ｂを示している。
【００２３】
　上述の実施の形態の各々は、固定ポスト２４は、クランプ機構と安定化機構の適切な垂直方向移動を容易にするためのガイド部材として働く。
【００２４】
　１つの実施の形態に関して示された種々の特徴が、本発明の精神の範囲内において他の実施の形態で使用されても良いことを理解すべきである。
【００２５】
　本発明のシステムは、任意のサイズのドラムをパレット、フロアー又はドラムが配置される他の場所へ又はそれから移動し、現在使用されているシステムと比較して作業者への露出が減少された安全な方法でドラムの内容物を処理ラインや他の容器へ正確に分配又は配送することの利点を提供すると共にプラントの回りにドラムを移動するための安全で人間工学的に設計された方法を提供する。本システムは、従来のドラムトラックを使用してドラムをハンドリングすることに通常関連する傷害の危険性を無くす。このように、本発明のシステムは、ぎっくり腰や指を挟んだり或いは危険なドラム内容物に曝したりすることを回避する。ユーザは、クランプ機構がドラムに接するまで簡単な転動システムを押すことが必要に過ぎない。次に、ユーザは、リフト機構を起動してドラムを上げドラムをその内容物がポンプ機構を介して分配出来る希望位置へ移動する。空のドラムは、Ｔ字状接続部と適切なバルブを使用して浸漬チューブを介して再充填されたり残留内容物の洗浄が安全に行われる。
【図面の簡単な説明】
【００２６】
【図１】図１は、本発明の一実施の形態に従うドラムトランスポーターの側面立面図である。
【図２】図２は、図１に示されるトランスポーターの側面立面図である。
【図３】図３は、図１及び図２に示されるトランスポーターの平面図である。
【図４】図４は、本発明に従うトランスポーターの変更形態の側面立面図である。
【図５】図５は、本発明に従うトランスポーターの更なる他の形態の側面立面図である。
【符号の説明】
【００２７】
１０　可搬ドラム配置システム
１２　主フレーム
１４　ホイール
１６　ホイール
１８　外側マストアセンブリ
２０　脚部
２２　直立ポストアセンブリ
２４　固定ガイドポスト
２６　Ｃ形状部材
２８　延長部材
３０　上部クランプ機構
３２　ふち
３４　ドラム
３６　下部ジョー
３８　上部ジョー
４０　ボディ構造体
４２　位置合わせ孔
４４　リテーナピン
９０　オプションの重量機構
９２　浸漬チューブ
９４　放出ライン
９６　ポンプ
９８　重量読み出し機構
４６　安定化機構
４８　水平方向アーム
５０　ピン
５２　環状リング
５４　ハンドル
５６　リフト機構
５８　ピストン
５９　ブラケット
６０　シリンダ
６２　レバー
６４　リターンスプリング
６６　フット操作ペダル
９８　読み出しデバイス
９９　バルブ
１００　Ｔ字管
６８　頂部プレート
７０　ファスナー
７２　スプロケット
７４　チェーン
７６　ブラケット
７８　ブラケット
１０Ａ　変更トランスポーター
２６Ａ　スリーブ
３０Ａ　上部クランプ機構
５６Ａ　リフトアセンブリ
５８Ａ　ピストン
６０Ａ　シリンダ
１０Ｂ　トランスポーター
２６Ｂ　スリーブ
３０Ｂ　上部クランプ機構
５６Ｂ　電子リフト機構
５８Ｂ　内部伸縮部材
５９Ｂ　ブラケット
６０Ｂ　外側シリンダ
８４　スイッチ
８８　バッテリーパック
８６　モータ
【図１】
2004142734.tif 000003
【図２】
2004142734.tif 000004
【図３】
2004142734.tif 000005
【図４】
2004142734.tif 000006
【図５】
2004142734.tif 000007
【外国語明細書】
2004142734000001.pdf
2004142734000002.pdf
2004142734000003.pdf
2004142734000004.pdf